(57)【特許請求の範囲】
【請求項１】
プール室と更衣室との間に設けられたシャワー室に設置されたシャワー装置を制御する装置であって、
上記のシャワー室に設けられ人体の通過を検出する少なくとも一対の人体検出器と、
これらの人体検出器からの信号を受け、これらの信号から人体の通過方向を判別し、少なくとも上記の更衣室側からこのシャワー室に入室者があった場合に上記のシャワー装置に開弁信号を送るコントローラとを具備しており、
前記のコントローラは親コントローラおよび子コントローラとからなる一対のコントローラを備え、これら親コントローラおよび子コントローラにはそれぞれ上記の人体検出器が設けられており、また、上記の親コントローラには上記の親コントローラまたは子コントローラの人体検出器のいずれか一方からの信号が入力した場合に前記のシャワー装置に開弁信号を送る制御回路部が設けられており、またこの親コントローラには、上記の子コントローラの人体検出器からの信号が入力した場合にのみ起動し、これら親コントローラおよび子コントローラの人体検出器からの信号が上記の制御回路に入力するのを所定の設定時間だけ阻止する休止タイマーが設けられている、
ことを特徴とするプールのシャワー制御装置。
【発明の詳細な説明】
【０００１】
【発明の属する技術分野】
本発明は、プールのシャワーを制御する装置に関する。さらに特定すれば、本発明は更衣室からプール室への入室者がある場合に、自動的にシャワーを散布し、プール室への入出前のシャワー浴を促すことができるシャワー制御装置に関する。
【０００２】
【従来の技術】
スポーツクラブその他のプール設備では、更衣室からプール室に入室する際に、シャワー浴により体を清潔にしておくことが好ましい。このため、従来のプール施設では一般的には更衣室とプール室との間にシャワー室を設け、プール室に入室する前にシャワー浴をおこなうようにレイアウトされていた。しかし、従来のものは、このシャワー室のシャワー設備が手動により開弁するように構成されていたため、利用者によってはプール室への入室前にシャワー浴をしない場合があり、プールの水質管理上好ましくない。
【０００３】
このような不具合を防止するには、上記のシャワー室に人体を検出する人体検出器を設け、更衣室からこのシャワー室に入室者があった場合には、自動的にシャワーを散布し、プール室への入室前のシャワー浴を促すことが考えられる。しかし、このように構成すると、プール室側からシャワー室への入室者すなわちプール室からの退室者があった場合にもシャワーが散布され、水の無駄となるばかりでなく、不所望なシャワーの散布は利用者にとって快適ではない。
【０００４】
上記の欠点を解消するには、更衣室からプール室への入室通路と、プール室から更衣室への退室通路とを別々に設け、入室通路に上記のような自動のシャワー設備を設け、退室通路には手動のシャワー設備を設ければよい。
【０００５】
しかしながら、このようなレイアウトは、プール施設の占有面積が増大するばかりでなく、利用者にとって使い難いレイアウトとなる。また、最近では、都市部のビル内等にスポーツクラブが開設される場合が多く、このようなスポーツクラブのプール施設は、占有面積を少なくするため、更衣室とプール室との間に入室、退室共用の通路すなわち往復通路を設け、この通路をシャワー室としたレイアウトが多い。
【０００６】
したがって、このようなレイアウトの場合には、単にシャワー室への入室者を検出して自動的にシャワーを散布するだけでは、前述のような不具合を生じ、このシャワー室のシャワー設備のより適切な制御が必要となってきた。
【０００７】
【発明が解決しようとする課題】
本発明は以上の事情に基づいてなされたもので、更衣室とプール室との間に設けられたシャワー室のシャワー設備をより適切に自動的に制御し、プール室への入室者にたいしてより確実にシャワー浴を促すことができ、また不所望にシャワーの散布がなされないようにしたプールのシャワー制御装置を提供するものである。
【０００８】
【課題を解決するための手段】
請求項１に記載された本発明は、プール室と更衣室との間に設けられたシャワー室に設置されたシャワー装置を制御する装置であって、上記のシャワー室に設けられ人体の通過を検出する少なくとも一対の人体検出器と、これらの人体検出器からの信号を受け、これらの信号から人体の通過方向を判別し、少なくとも上記の更衣室側からこのシャワー室に入室者があった場合に上記のシャワー装置に開弁信号を送るコントローラとを具備している。
【０００９】
したがって、プール室への入室とプール室からの退室の共用の通路として使用されるシャワー室においても、プール室への入室者のみを検出し、自動的にシャワーを散布してプール室への入室前のシャワー浴を促すことができる。また、プール室への入室者とプール室からの退室者とを区別できるので、プール室からの退室者に対しては、自動でシャワーを散布するか、または手動でシャワーを散布するように設定でき、レイアウト、使用態様に応じて柔軟な設定が可能である。
【００１０】
そして、請求項１に記載の本発明は、前記のコントローラは親コントローラおよび子コントローラとからなる一対のコントローラを備え、これら親コントローラおよび子コントローラにはそれぞれ上記の人体検出器が設けられており、また、上記の親コントローラには上記の親コントローラまたは子コントローラの人体検出器のいずれか一方からの信号が入力した場合に前記のシャワー装置に開弁信号を送る制御回路部が設けられており、またこの親コントローラには、上記の子コントローラの人体検出器からの信号が入力した場合にのみ起動し、これら親コントローラおよび子コントローラの人体検出器からの信号が上記の制御回路に入力するのを所定の設定時間だけ阻止する休止タイマーが設けられている、ことを特徴とするものである。
【００１１】
したがって、この親コントローラと子コントローラとを、使用者の移動方向に所定の間隔で並べて設置しておけば、親コントローラ側から使用者が通過した場合には、この使用者を検出し、また子コントローラ側から使用者が通過した場合には、上記の休止タイマーの休止時間内に使用者が親コントローラの前を通過しても、これらコントローラは使用者を検出しない。
【００１２】
よって、これらの親コントローラおよび子コントローラを並べて設置するだけで、使用者の検出および使用者の移動方向を検出でき、構造が簡単であり、またこれら２個のコントローラを並べて設置するだけであるので、施工が簡単である。
【００１３】
また、上記の休止タイマーの休止時間を、親コントローラと子コントローラの間の距離、その他の条件に対応して適切に設定することにより、誤作動を防止し、確実な作動を行うことができる。また、この休止タイマーの休止時間を零時間、すなわち休止なしに設定しておけば、子コントローラからの信号により制御回路部から開弁信号が出力されるので、親コントローラ側、または子コントローラ側のいずれ側から利用者が移動してきても、シャワーを散布するように構成できる等、あらゆる条件に対応できる汎用性がある。
【００１４】
【発明の実施の形態】
以下、図を参照して本発明の実施形態を説明する。この実施形態のものは、プール施設の各種のレイアウトその他の条件に対応できる汎用型のシャワー制御装置である。プール施設のレイアウトおよび使用態様の条件は、各種のものがあるが、大別して２つの態様があるので、以下、実施形態の説明に先立って上記の２つの態様を説明する。
【００１５】
まず、図１を参照して第１のレイアウトおよび使用態様を説明する。図中の１はプール室、２は更衣室である。そして、この更衣室２とプール室１との間には、主シャワー室３および前シャワー室４とが配置され、利用者はこの主シャワー室３および前シャワー室４を通ってプール室１への入室および退出をする。
【００１６】
上記の主シャワー室３は、手動のシャワー設備等、利用者が任意にシャワー浴ができるようなシャワー設備を備えており、利用者は、この主シャワー３室でプール室１への入室前、およびプール室１からの退室後のいずれでも任意にシャワー浴ができる。また、上記の前シャワー室４は、プール室への入室前にシャワー浴をするものである。
【００１７】
また、図２を参照して第２のレイアウトおよび使用態様を説明する。このものは、プール室１と更衣室２との間に主シャワー室および前シャワー室を兼用した共用シャワー室５を配置したものである。利用者は、この共用シャワー室５を通ってプール室１への入室およびプール室１からの退室をなし、プール室への入室前のシャワー浴およびプール室からの退室後のシャワー浴の両方をこの共用シャワー室５でおこなう。
【００１８】
この実施形態のシャワー制御装置は、上記のような各種のレイアウトや利用態様の変化に対応して容易に設置できる汎用性を備えたもので、以下図３を参照してその基本的な構成を説明する。
【００１９】
この制御装置は、対をなし、互いに別体の親コントローラ１０と、子コントローラ１１とから構成されている。この親コントローラ１０と子コントローラ１１とは、たとえばシャワー室の壁面に利用者の移動方向に並べて設置される。
【００２０】
これらの親コントローラ１０および子コントローラ１１は、いずれも防水性のハウジング１３を備えている。そして、これらにはそれぞれ人体検出器１４が設けられている。これらの人体検出器１４は、たとえば赤外線を放射し、反対側の壁面からの反射光を検出し、この赤外線ビームを利用者が横切ることによって人体を検出するものである。なお、この人体検出器１４は、上記のものには限定されず、超音波を利用したもの、その他の形式のものでもよい。
【００２１】
また、各人体検出器１４には、それぞれ駆動回路１６が設けられ、これら人体検出器１４が人体を検出した場合には、これらの駆動回路１６からそれぞれ検出信号が出力される。そして、上記の子コントローラ１１の人体検出器１４の検出信号は、電線１７を介して親コントローラ１０に送られる。
【００２２】
上記の親コントローラ１０内には、制御回路部２２が設けられている。この制御回路部２２は、上記の親コントローラ１０または子コントローラ１１のいずれか一方からの人体検出信号が入力された場合に、弁駆動回路２３に開弁信号を送るものである。また、この制御回路部２２には、上記の開弁信号の時間、すなわちシャワーの散布時間を任意に設定する機能が付加されている。
【００２３】
上記の弁駆動回路２３は、上記の開弁信号に対応してシャワー設備３０の開閉弁３２、たとえばモータ弁、電磁弁等に開弁信号または開弁電力を電線２４を介して供給する。なお、図中の３１はこのシャワー設備３０のシャワーヘッドである。
【００２４】
そして、上記の親コントローラ１０には、休止タイマー２１が設けられている。この休止タイマー２１は、前記の子コントローラ１１からの人体検出信号が入力した場合にのみ起動され、この子コントローラ１１の人体検出器１４からの人体検出信号、および親コントローラ１０の人体検出器１４からの人体検出信号が前記の制御回路部２２に送られるのを所定の休止時間、たとえば３秒間だけ遮断する。なお、この休止タイマー２１は、上記の休止時間を零から所定の時間まで任意に設定することが可能なものである。
【００２５】
次に、上記のような親コントローラ１０および子コントローラ１１の設置の態様を説明する。前述のように、これらのコントローラは、プール施設のレイアウトや使用態様に対応して設置できる汎用性を有している。
【００２６】
図４には、その第１の設置態様を示す。このものは、前述の図１に示すようなレイアウトの場合、前シャワー室４のシャワー設備３０を制御するものである。すなわち、この場合は、この前シャワー室４の他に、主シャワー室３が設けられているので、プール室１から退室した利用者は、この主シャワー室３で任意にシャワー浴をすることができる。したがって、プール室１から退室した利用者は、この前シャワー室４ではシャワー浴をする必要がなく、プール室１に入室する利用者に対してのみ、自動的にシャワーを散布し、シャワー浴を促せばよい。
【００２７】
そして、この場合には、上記の親コントローラ１０および子コントローラ１１を、いずれもシャワー設備３０の前方側すなわち更衣室２側に配置する。また、親コントローラ１０は、子コントローラ１１に対して前方側すなわち更衣室２側に配置する。また、これら親コントローラ１０および子コントローラ１１との間の間隔は、利用者によって両者の光ビームが同時に遮られないような間隔とすることが好ましい。
【００２８】
また、この場合の前記の休止タイマー２１の休止時間は、プール室１からの退室者がこれら子コントローラ１１および親コントローラ１０の両方を通過するに要する最大の時間より長く、たとえば３秒間に設定する。
【００２９】
次に、上記のように設置されたコントローラの作用を説明する。まず、更衣室２側からプール室１への入室者が来た場合には、この利用者の体がまず最初に親コントローラ１０のビームを遮り、この親コントローラ１０が利用者を検出する。この場合、この親コントローラ１０の人体検出器１４からの信号では、休止タイマー２１は起動しないので、この人体検出器１４からの信号はそのまま制御回路部２２に送られる。
【００３０】
したがって、この制御回路部２２から弁駆動回路２３に所定時間だけ開弁信号が出力され、シャワー設備３０の開閉弁３２が開弁し、所定の時間だけシャワーを散布する。よって、主シャワー室３でシャワー浴しなかった利用者に対しても、この前シャワー室４でシャワー浴するように促進する。
【００３１】
次に、プール室１からの退室者が来た場合には、この退室者の通過はまず子コントローラ１１で検出される。この場合、この子コントローラ１１からの検出信号により、親コントローラ１０の休止タイマー２１が起動し、所定の休止時間だけ、制御回路部２２への検出信号の入力を阻止する。したがって、この休止時間内に退室者が親コントローラ１０を通過しても、この親コントローラ１０の人体検出器１４からの信号は制御回路部２２には送られない。よって、この場合には、シャワーの散布はない。
【００３２】
次に、図５を参照して第２の設置態様について説明する。この設置態様は、前述の図２に示した共用シャワー室５に設置する場合のものである。この共用シャワー室５では、更衣室２からプール室１への入室者、およびプール室１から更衣室２への退室者の両方がシャワー浴する必要がある。
【００３３】
この場合には、図５に示すように、シャワー設備３０に対して親コントローラ１０を前方がわすなわち更衣室２側、子コントローラ１１を後方側すなわちプール室側に設置する。そして、この場合には、前記の親コントローラ１０の休止タイマー２１の休止時間を零時間に設定する。
【００３４】
この設置態様では、更衣室２からプール室１への入室者が来た場合には、前述の場合と同様にシャワーが散布される。また、プール室１から退室者が来た場合には、最初に子コントローラ１１がこの退室者を検出する。しかし、この場合には、休止タイマー２１の休止時間が零時間に設定されているので、この子コントローラからの検出信号は制御回路部２２にそのまま送られ、シャワーが散布される。したがって、この場合には、プール室１からの退室者も自動でシャワー浴ができる。
【００３５】
なお、上記の設置態様では、一対の親コントローラ１０と子コントローラ１１を設置したが、これには限定されず、プール施設のレイアウト等に対応して、これらコントローラの設置態様は任意に設定できる。
【００３６】
たとえば、図６には第３の設置態様を示す。この態様は、シャワー室６の幅が広い場合のものである。すなわち、この実施形態では、人体検出器１４として光ビームの反射光を検出するものを使用している。このようなものは、シャワー室６の幅が広い場合には、対向する壁面に到達するまで、または反射した後に光ビームが拡散し、検出の精度が低下することがある。このような場合には、２対の親コントローラ１０および子コントローラ１１を両側の壁面に互いに対向するように配置したものである。なお、これら各対の親コントローラ１０と子コントローラ１１の配置関係は、図５に示したものと同様である。
【００３７】
このような配置によれば、使用者がこのシャワー室６の両側のいずれかに偏った位置を通過しても、いずれかの対の親コントローラ１０および子コントローラ１１でこの利用者を検出し、シャワー設備３０の制御をなすことができる。
【００３８】
なお、本発明は上記の実施形態には限定されない。この実施形態は、設置態様に汎用性を持たせ、かつ簡単に設置できるように、各構成要素を親コントローラ、子コントローラのユニットとして形成したが、たとえば人体検出器、制御回路の部分等の別々に設置するようにしても良い。
【００３９】
【発明の効果】
上述の如く本発明によれば、プール室への入室とプール室からの退室の共用の通路として使用されるシャワー室においても、プール室への入室者のみを検出し、自動的にシャワーを散布してプール室への入室前のシャワー浴を促すことができる。また、プール室への入室者とプール室からの退室者とを区別できるので、プール室からの退室者に対しては、自動でシャワーを散布するか、または手動でシャワーを散布するように設定でき、レイアウト、使用態様に応じて柔軟な設定が可能である等、その効果は大である。
【図面の簡単な説明】
【図１】プール施設のレイアウトの第１の態様を示す平面図。
【図２】プール施設のレイアウトの第２の態様を示す平面図。
【図３】本発明のシャワー制御装置の一実施形態の概略構成図。
【図４】親コントローラと子コントローラの第１の配置の態様を示す平面図。
【図５】親コントローラと子コントローラの第２の配置の態様を示す平面図。
【図６】親コントローラと子コントローラの第３の配置の態様を示す平面図。
【符号の説明】
１  プール室
２  更衣室
４  前シャワー室
５  共用シャワー室
６  シャワー室
１０  親コントローラ
１１  子コントローラ
１４  人体検出器
２１  休止タイマー
２２  制御回路部
３０  シャワー設備
３２  開閉弁
【図１】
0004354612.tif 000002
【図２】
0004354612.tif 000003
【図３】
0004354612.tif 000004
【図４】
0004354612.tif 000005
【図５】
0004354612.tif 000006
【図６】
0004354612.tif 000007